(57)【要約】【課題】この発明は、構成簡易にして、設置スペースの省スペース化の要求を満足したうえで、取付作業の簡略化を図り得るようにすることにある。【解決手段】２枚の取付板１１１を、支柱１０を中心として略円形状に結合して２枚の支持テーブル１１を所定の間隔に配置した支柱マウント部材１２が設けられ、この支柱マウント部材１２の支持テーブル１１間に対して３個の装置マウント部材１５を同心円状に取付けて、この装置マウント部材１５に通信装置１６を取付け配置するように構成した。【選択図】図１
2009281412.tif 000002
【特許請求の範囲】
【請求項１】
支柱と、
この支柱が挿通される貫通孔を協働して形成する切欠き部を有した複数の取付板が、前記支柱の周囲にテーブル状に合体されて配置される２枚の支持テーブルを、前記支柱の軸方向に所定の間隔に設けた支柱マウント部材と、
この支柱マウント部材の前記２枚の支持テーブル間に架設されて前記支柱の周囲に取付けられる複数の装置マウント部材と、
この複数の装置マウント部材に支持されて前記支柱の周囲に同心円状に設置される複数の通信装置と、
を具備することを特徴とする通信装置の取付構造。
【請求項２】
支柱と、
この支柱が挿通される貫通孔を協働して形成する切欠き部を有した複数の取付板が、前記支柱の周囲にテーブル状に合体されて配置される２枚の支持テーブルを、前記支柱の軸方向に所定の間隔に設けた支柱マウント部材と、
一端部が前記支柱に回動調整自在に支持され、他端部が前記支柱マウント部材の前記２枚の支持テーブルに選択的に固定されて前記支柱の周囲に分散配置される２枚一組とする複数組の回動部材と、
この２枚一組の回動部材間に架設されて前記支柱の周囲に同心円状に取付けられる複数の装置マウント部材と、
この複数の装置マウント部材に支持されて前記支柱の周囲に同心円状に設置される複数の通信装置と、
を具備することを特徴とする通信装置の取付構造。
【請求項３】
前記回動部材は、一端部に前記支柱に回動調整自在に巻掛けられるＵ字ボルトが取付けられ、他端部が前記支持テーブルに螺合されて配置されることを特徴とする請求項２記載の通信装置の取付構造。
【請求項４】
前記支柱マウント部材は、複数の支持テーブルの切欠き部で形成される貫通孔が前記支柱の外径寸法より、小径になるように前記切欠き部が設けられ、該切欠き部が前記支柱に合致されてテーブル状に合体されて状態で、相互間が螺子結合されて取付け配置されることを特徴とする請求項１乃至３のいずれか記載の通信装置の取付構造。
【請求項５】
前記複数の装置マウント部材は、前記支柱マウント部材に対して同心円状に角度調整自在に配置されることを特徴とする請求項１乃至４のいずれか記載の通信装置の取付構造。
【発明の詳細な説明】
【技術分野】
【０００１】
この発明は、例えば屋外基地局を構成する３セクタ式アンプ装置等の複数の通信装置を設置するのに好適する取付構造に関する。
【背景技術】
【０００２】
一般に、３セクタ式携帯屋外基地局においては、複数、例えば３台のアンプ装置等の通信装置が所望の方向に指向されて設置される。このような通信装置を設置するための取付構造としては、通信装置を、１台ずつ支柱に取付けて設置することなく、複数台を１本の支柱に設置可能な取付金具を用いて取付けることで、設置スペースを小さく抑えるようにした構成ものが提案されている。
【０００３】
この取付具としては、例えば特許文献１に開示されるように支柱の壁面の一部に当接するベースプレートを有したベース部にスカート部が延出されて形成される。そして、この取付具は、２つのベース部が支柱を挟んで対向配置された状態で、相互のベース部が緊締手段を用いて緊締されて、支柱を挟持するように取付けられる。このベース部から延出されたスカート部の先端には、送受信装置固定手段が設けられ、この送受信装置固定手段に対して送受信装置がそれぞれ取付けられて２台が１本の支柱に取付けられる。
【特許文献１】実用新案登録第３１３５３７４号公報
【発明の開示】
【発明が解決しようとする課題】
【０００４】
しかしながら、上記取付具では、スカート部を有した一対のベース部を、緊締手段を用いて支柱を挟んで取付けて、この各ベース部のスカート部に設けた送受信装置固定手段に対して送受信装置をそれぞれ取付けて２台を設置する構成のために、部品点数が多く、取付作業が面倒であるとうい問題を有する。
【０００５】
この発明は、上記の事情に鑑みてなされたもので、構成簡易にして、設置スペースの省スペース化の要求を満足したうえで、取付作業の簡略化を図り得るようにした通信装置の取付構造を提供することを目的とする。
【課題を解決するための手段】
【０００６】
この発明は、支柱と、この支柱が挿通される貫通孔を協働して形成する切欠き部を有した複数の取付板が、前記支柱の周囲にテーブル状に合体されて配置される２枚の支持テーブルを、前記支柱の軸方向に所定の間隔に設けた支柱マウント部材と、この支柱マウント部材の前記２枚の支持テーブル間に架設されて前記支柱の周囲に取付けられる複数の装置マウント部材と、この複数の装置マウント部材に支持されて前記支柱の周囲に同心円状に設置される複数の通信装置とを備えて通信装置の取付構造を構成した。
【０００７】
上記構成によれば、支柱には、複数の取付板で構成された２枚の支持テーブルを所定の間隔に配置した支柱マウント部材が設けられ、この支柱マウント部材の支持テーブル間に対して複数の装置マウント部材が同心円状に架設されて、この複数の装置マウント部材にそれぞれ通信装置が取付け配置される。これにより、支柱マウント部材に対して複数の通信装置を、共通の装置マウント部材を用いて支柱の周囲に同心円状に取付け配置することが可能となり、設置スペースの省スペース化の要請を満足したうえで、その取付作業の簡略化を図ることが可能となる。
【発明の効果】
【０００８】
以上述べたように、この発明によれば、構成簡易にして、設置スペースの省スペース化の要求を満足したうえで、取付作業の簡略化を図り得るようにした通信装置の取付構造を提供することができる。
【発明を実施するための最良の形態】
【０００９】
以下、この発明の実施の形態について、図面を参照して詳細に説明する。
【００１０】
図１及び２は、この発明の一実施の形態に係る通信装置の取付構造を示すもので、図１は、上面側から見た状態を示し、図２は、図１のＡ−Ａ断面を示す。
【００１１】
即ち、支柱１０は、例えば屋外基地局を設置する建物の屋上等の所定の位置に立設される。そして、この支柱１０には、例えば円形状の２枚の支持テーブル１１が軸方向に所定の間隔を有して取付けられて支柱マウント部材１２が取付けられる。
【００１２】
この支持テーブル１１は、複数、例えば図３に示すように２枚の半円形状の取付板１１１が合体されて形成される。そして、この取付板１１１の合体辺となる各直線部位には、その略中央に略半円形をした凹状の切欠き部１１２がえぐり加工等の手法により上記支柱１０の外径に対応して形成される。
【００１３】
この２枚の取付板１１１の切欠き部１１２は、略円形状の合体状態において、例えばその内径が上記支柱１０の外径に比して若干小径となるように形成されている。これにより、２枚の取付板１１１は、支柱１０に支持テーブル１１として確実に取付けることが可能となる。
【００１４】
また、取付板１１１には、その切欠き部１１２の周囲の一方面側に図４（ａ）（ｂ）に示すように係止部１１３が突設され、この係止部１１３が上記支柱１０の周壁に当接される。そして、この係止部１１３の両端部には、例えば取付孔（図の都合上、図示せず）を有した合体用結合部１１４が設けられている。
【００１５】
この２枚の取付板１１１は、その切欠き部１１２の係止部１１３が支柱１０に当接されて略円形状に組付けられた状態で、その結合部１１４の取付孔間に螺子部材であるボルト１３が挿通され、該ボルト１３にナット１４が螺合されて支持テーブル１１が形成される（図５参照）。そして、この支持テーブル１１は、同様に支柱１０に対して２枚が所定の間隔に取付けられて上記支柱マウント部材１２として構成される。
【００１６】
さらに、上記取付板１１１には、複数の装置マウント取付用の取付孔１１５が、例えば支持テーブル１１の周囲に略１２０°の間隔に位置するように形成されている。
【００１７】
また、上記支柱マウント部材１２には、３個の略コ字状の装置マウント部材１５が、上記２枚の支持テーブル１１に対して略１２０°の間隔を有して同心円状に組付け配置される（図１参照）。そして、この装置マウント部材１５には、その両端部に複数、例えば二個の取付孔（図の都合上、図示せず）が取付板１１１の取付孔１１５に対応して設けられ、その中間部に、例えば３セクタ式の３台のうちの１台のアンプ装置を含む通信装置１６が、螺子部材１７を用いて取付けられる（図２参照）。
【００１８】
この装置マウント部材１５は、その両端の取付孔（図示せず）が２枚の支持テーブル１１の取付板１１１の取付孔１１５に合致するように該支持テーブル１１間に架設され、相互の取付孔１１５，（図示せず）間に螺子部材であるボルト１８が挿通される。そして、このボルト１８の先端部には、ナット１９が螺合されて支柱マウント部材１２に取付けられる。
【００１９】
上記構成において、支柱１０が建物の屋上等に立設され、この支柱１０には、２枚の取付板１１１の切欠き部１１２の係止部１１３が係合されて略円形状に配置される。そして、この２つの取付板１１１は、その結合部１１４の取付孔（図示せず）にボルト１３が挿入されて、その先端部にナット１４が螺合されて支持テーブル１１が形成される。同様にして、この支柱１０には、２枚の取付板１１１、ボルト１３及びナット１４を用いて円形状の支持テーブル１１が所定の間隔を有して取付けられて支柱マウント部材１２が配置される。
【００２０】
そして、この支柱マウント部材１２には、その２枚の支持テーブル１１間に装置マウント部材１５がその取付孔（図示せず）を所望の各取付板１１１の取付孔１１５を選択して合致するように架設される。
【００２１】
この状態で、装置マウント部材１５は、ボルト１８がその取付孔（図示せず）を通して取付板１１の取付孔１１５に挿入されて、該ボルト１８の先端部にナット１９が螺合されて支持テーブル１１に取付けられる。この装置マウント部材１５は、３個が支柱マウント部材１２の周囲に略１２０°の間隔を有して同心円状に取付けられる。そして、この３個の装置マウント部材１５には、それぞれ通信装置１６が螺子部材１７を用いて取付けられて、支柱１０の周囲に同心円状に配置される。
【００２２】
なお、この通信装置１６は、装置マウント部材１５に対して螺子部材１７を用いて取付けた状態で、装置マウント部材１５を支柱マウント部材１２に取付けて配置するようにしてもよい。
【００２３】
このように、上記通信装置の取付構造は、２枚の取付板１１１を、支柱１０を中心として略円形状に結合して２枚の支持テーブル１１を所定の間隔に配置した支柱マウント部材１２が設けられ、この支柱マウント部材１２の支持テーブル１１間に対して３個の装置マウント部材１５を同心円状に取付けて、この装置マウント部材１５に通信装置１６を取付け配置するように構成した。
【００２４】
これによれば、支柱１０に配した支柱マウント部材１２に対して３台の通信装置１６を、共通の装置マウント部材１５を用いて同心円状に取付け配置することが可能となるため、設置スペースの省スペース化の要請を満足したうえで、その取付作業の簡略化を図ることが可能となる。
【００２５】
また、この発明は、上記実施の形態に限ることなく、その他、図６乃至図８に示すように構成してもよく、さらに良好な効果が期待される。この図６乃至図８に示す実施の形態では、上記図１乃至図５に示す実施の形態と同一部分について同一符号を付して、その詳細な説明を省略する。
【００２６】
上記支柱マウント部材１２の支持テーブル１１には、例えば３個の第２の取付孔２０が略１２０°間隔を有して設けられるように２枚の取付板１１１に選択的に形成される（図６参照）。そして、この３個の第２の取付孔２０には、それぞれ略Ｌ字形状の回動部材２１の一方の端部の中間部が、例えば螺子部材であるボルト２２及びナット２３を用いて取付けられる（図６及び図７参照）。この回動部材２１の一方の端部には、上記装置マウント部材１５が上記ボルト１８及びナット１９を用いて取付けられる。
【００２７】
また、回動部材２１の他方の端部には、上記支柱１０に巻掛けた例えば周知のＵ字ボルト２４の両端の螺子部２４１が挿通される。このＵ字ボルト２４の螺子部２４１には、ナット２５が螺合され、その螺合を調整することで、支柱１０周りに回動調整自在に取付けられる。
【００２８】
なお、上記回動部材２１は、支持テーブル１１に設ける第２の取付孔２０の数を増やして、さらに細かい間隔に形成するように構成することにより、通信装置１６の同心円状における角度位置を細かく角度調整することが可能となる。
【００２９】
上記構成において、３台の通信装置１６を同心円状にセットする場合には、先ず、支柱１０が立設されて、同様に２枚の支持テーブル１１を所定の間隔に配した支柱マウント部材１２が取付けられる。この支柱マウント部材１２には、例えば壁等の接近していない最も作業スペースのある図８（ａ）に示す第１の方向となる第１の位置において、その２枚の支持テーブル１１にそれぞれ重なるように回動部材２１が載置する如く重ねるように配される。そして、この２つ一組の回動部材２１は、同様に、その他方の端部が、Ｕ字ボルト２４及びナット２５を用いて上記支柱１０に対してそれぞれ回動調整自在に取付けられる。
【００３０】
また、この２つの回動部材２１の一方の端部間には、装置マウント部材１５が架設されてボルト１８、ナット１９を用いて取付けられる。この装置マウント部材１５には、１台目の通信装置１６が螺子部材１７を用いて取付けられる。
【００３１】
次に、上記２つの回動部材２１は、Ｕ字ボルト２４のナット２５を緩めた状態で、該Ｕ字ボルト２４を介して支柱１０周りに、例えば図８（ａ）中反時計方向に略１２０°回転させた第２の位置まで回動される（図８（ｂ）参照）。この状態において、回動部材２１は、その一方の端部の中間部がボルト２２、ナット２３を用いて支持テーブル１１の取付板１１１の第２の取付孔２０に取付けられて、それぞれ支持テーブル１１に位置決めされて取付けられる。
【００３２】
ここで、Ｕ字ボルト２４は、その螺子部２４１に螺合されるナット２５が締付けられて支柱１０に位置決め固定され、装置マウント部材１５の通信装置１６が、第２の方向に指向される。
【００３３】
そして、２台目の通信装置１６をセットする場合には、同様に図８（ｃ）に示すように第１の位置において、回動部材２１を同様に２枚の支持テーブル１１にそれぞれ重なるように配して、その他方の端部がＵ字ボルト２４及びナット２５を用いて支柱１０に回動調整自在に取付けられる。この２つの回動部材２１の一方の端部間には、装置マウント部材１５が架設されてボルト１８、ナット１９を用いて取付けられ、この装置マウント部材１５には、通信装置１６が螺子部材１７を用いて取付けられる。
【００３４】
次に、２つの回動部材２１は、Ｕ字ボルト２４のナット２５を緩めた状態で、該Ｕ字ボルト２４を介して支柱１０周りに、例えば図８（ｃ）中時計方向に略１２０°回転させた第３の位置まで回動される（図８（ｄ）参照）。この状態において、回動部材２１は、その一方の端部の中間部がボルト２２、ナット２３を用いて支持テーブル１１の取付板１１１の第２の取付孔２０に取付けられて、支持テーブル１１にそれぞれ位置決めされる。ここで、Ｕ字ボルト２４は、その螺子部２４１に螺合されるナット２５が締付けられて支柱１０に位置決め固定され、装置マウント部材１５の通信装置１６が、第３の方向に指向される。
【００３５】
また、最後の３台目の通信装置１６をセットする場合は、同様に図８(ｅ)に示すように第１の位置において、回動部材２１を２枚の支持テーブル１１に添わせて支柱１０にＵ字ボルト２４及びナット２５を用いて回動調整自在に取付ける。そして、この２つの回動部材２１の一方の端部間には、装置マウント部材１５が架設されて同様にボルト１８、ナット１９を用いて取付けられ、この装置マウント部材１５には、通信装置１６が螺子部材１７を用いて取付けられる。
【００３６】
次に、２つの回動部材２１は、その一方の端部の中間部がボルト２２、ナット２３を用いて支持テーブル１１の取付板１１１の第２の取付孔２０に取付けられて、支持テーブル１１にそれぞれ位置決めされる。ここで、装置マウント部材１５の通信装置１６は、第１の方向に指向される。この状態で、同様にＵ字ボルト２４は、その螺子部２４１に螺合されるナット２５が締付けられて支柱１０に位置決め固定され、ここに、３台の通信装置１６の設置が完了される。
【００３７】
なお、上記装置マウント部材１５は、それぞれ通信装置１６を取付けた状態で、２つの回動部材２１間に取付けて支柱マウント部材１２の支持テーブル１１の周囲に同心状に配するように構成してもよい。
【００３８】
この実施の形態によれば、３台の通信装置１６を一方向から支柱１０の周囲に同心状に取付けることが可能となることにより、周囲が壁に接近した設置場所においても、取付作業が可能となる。この結果、通信装置１６の設置場所の制約が軽減され、しかも、比較的、狭い作業スペースがあれば取付配置することが可能となるため、さらに取付作業の簡略化を図ることが可能となる。
【００３９】
なお、上記実施の形態では、支柱マウント部材１２の支持テーブル１１を２つの取付板１１１でテーブル状に形成するように構成した場合について説明したが、これに限ることなく、支持テーブル１１を２つ以上の数の取付板を用いて分割形成するように構成することも可能である。
【００４０】
また、上記実施の形態では、回動部材２１を支柱１０にＵ字ボルト２４及びナット２５を用いて回動調整自在に配するように構成した場合について説明したが、これに限ることなく、構成することも可能である。
【００４１】
さらに、上記実施の形態では、３台の通信装置１６を配する３セクタ式に適用した場合について説明したが、これに限ることなく、その他、２台以上の通信装置１６を配する方式においても適用可能で、同様に有効な効果が期待される。
【００４２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４４】
【図１】この発明の一実施の形態に係る通信装置の取付構造を説明するために示した平面図である。
【図２】図１のＡ−Ａ断面を示した断面図である。
【図３】図１の支持テーブルを分解して示した平面図である。
【図４】図２の要部を拡大して示した側面図である。
【図５】図３の支持テーブルを結合した状態を示した平面図である。
【図６】この発明の他の実施の形態に係る通信装置の取付構造を説明するために示した平面図である。
【図７】図６のＢ−Ｂ断面を示した断面図である。
【図８】図６の回動部材を用いて３台の通信装置を同心円状に設置する取付け手順を示した平面図である。
【符号の説明】
【００４５】
１０…支柱、１１…支持テーブル、１１１…取付板、１１２…切欠き部、１１３…係止部、１１４…結合部、１１５…取付孔、１２…支柱マウント部材、１３…ボルト、１４…ナット、１５…装置マウント部材、１６…通信装置、１７…螺子部材、１８…ボルト、１９…ナット、２０…第２の取付孔、２１…回動部材、２２…ボルト、２３…ナット、２４…Ｕ字ボルト、２４１…螺子部、２５…ナット。
【図１】
2009281412.tif 000003
【図２】
2009281412.tif 000004
【図３】
2009281412.tif 000005
【図４】
2009281412.tif 000006
【図５】
2009281412.tif 000007
【図６】
2009281412.tif 000008
【図７】
2009281412.tif 000009
【図８】
2009281412.tif 000010